(57)【要約】【課題】  色再現範囲を圧縮する色域変換において、彩度の低下を抑制するなど、変換後の画像を再現する際にある程度その再現性を制御することを可能とする。【解決手段】  入力系装置の色再現範囲最外郭上の点Ａが示す色に対応する出力系装置の色再現範囲最外郭上の点Ｂを設定するとき、点Ｂをその色が点Ａの色との色差が最小となるように説定する。この場合、入力系装置の色再現範囲最外郭上の色が、同色相における出力系装置の色再現範囲内の色で色差最小の色へ変換されるため、一般には、彩度の低下が抑制され、入力系装置で再現される画像に印象が近い画像を出力系装置で再現することができる。【選択図】  図１
2005184394.tif 000002
【特許請求の範囲】
【請求項１】
色空間において第１の領域の色をその領域より小さい第２の領域の色に対応付ける関係に基づいて色域変換を行う色域変換方法であって、
前記第１領域の最外郭上の色に対応する前記第２領域上の最外郭上の色を、該最外郭上の色を当該色空間における所定の定点と前記第１領域の最外郭上の色を示す当該色空間における点とを結ぶ直線上には対応付けない所定の対応関係に基づいて定め、該定められた前記第２領域上の最外郭上の色とこれに対応する前記第１領域の最外郭上の色に基づいて定められた、前記第１の領域の色を前記第２の領域の色に対応付ける前記関係を用意し、
該関係に従って色域変換を行う、
ステップを有したことを特徴とする色域変換方法。
【請求項２】
前記所定の対応関係は、前記第１領域の最外郭上の色と前記対応する第２領域上の最外郭上の色との色差が最小となる関係であることを特徴とする請求項１に記載の色域変換方法。
【請求項３】
前記所定の対応関係は、前記第１領域の最外郭上の色を示す点が当該最外郭に沿って所定方向に移動して異なる前記第１領域の最外郭上の色を示す点に移るとき、前記第２領域の最外郭上の色を示す点が当該最外郭に沿って同じ所定方向に移動して異なる前記第２領域の最外郭上の色を示す点に移る関係であることを特徴とする請求項１に記載の色域変換方法。
【請求項４】
前記第１の領域の色を前記第２の領域の色に対応付ける前記関係は、前記所定の定点Ｏと前記第２領域の最外郭上の色を示す点Ｂを結ぶ線分ＯＢおよび該第２領域の最外郭上の色を示す点Ｂと前記対応する前記第１領域の最外郭上の色を示す点Ａとを結ぶ線分ＢＡ上の色について、前記線分ＯＢにおける、当該所定の定点Ｏから所定の点Ｃまでの線分上の色をそのままの色に対応付け、前記線分ＯＢにおける前記所定の点Ｃから前記点Ｂまでの線分ＣＢおよび前記線分ＢＡ上の色を前記線分ＣＢ上の色に線形に対応付ける関係であることを特徴とする請求項１ないし３のいずれかに記載の色域変換方法。
【請求項５】
前記色空間は、明度、彩度、色相の色知覚に対応した色空間であることを特徴とする請求項１ないし４のいずれかに記載の色域変換方法。
【請求項６】
前記所定の定点の色は無彩色であることを特徴とする請求項１ないし５のいずれかに記載の色域変換方法。
【請求項７】
色空間において第１の領域の色をその領域より小さい第２の領域の色に対応付ける関係に基づいて色域変換を行い色信号の変換を行う画像処理装置であって、
前記第１領域の最外郭上の色に対応する前記第２領域上の最外郭上の色を、該最外郭上の色を当該色空間における所定の定点と前記第１領域の最外郭上の色を示す当該色空間における点とを結ぶ直線上には対応付けない所定の対応関係に基づいて定め、該定められた前記第２領域上の最外郭上の色とこれに対応する前記第１領域の最外郭上の色に基づいて定められた、前記第１の領域の色を前記第２の領域の色に対応付ける前記関係をテーブルとして備え、
該テーブルを用いて色域変換を行うことを特徴とする画像処理装置。
【請求項８】
色空間において第１の領域の色をその領域より小さい第２の領域の色に対応付ける関係に基づいて色域変換を行う画像処理装置のコンピュータに、
前記第１領域の最外郭上の色に対応する前記第２領域上の最外郭上の色を、該最外郭上の色を当該色空間における所定の定点と前記第１領域の最外郭上の色を示す当該色空間における点とを結ぶ直線上には対応付けない所定の対応関係に基づいて定め、該定められた前記第２領域上の最外郭上の色とこれに対応する前記第１領域の最外郭上の色に基づいて定められた、前記第１の領域の色を前記第２の領域の色に対応付ける前記関係を取得し、
該関係に従って色域変換を行う、
ステップを有した処理を実行させることを特徴とするプログラム。
【発明の詳細な説明】
【技術分野】
【０００１】
本発明は、色域変換方法および画像処理装置に関し、詳しくは、色域圧縮に関するものである。
【背景技術】
【０００２】
モニタ、デジタルカメラ、プリンタ、複写機など、画像を入、出力する装置の色再現特性はそれぞれの装置によって異なる。このため、画像データを異なる装置間で利用する場合は、それらの装置間で画像の色再現特性の統一を図るものとして、カラーマネージメントシステム（以下、ＣＭＳ）が利用されている。
【０００３】
このＣＭＳでは、同一の画像を複数の入、出力装置で良好に再現するため、各装置が再現する色の測色値を合わせるように、入力系装置の色信号を出力系装置の色信号へ変換する。ここで、入力系装置とは、色合わせの目標となる装置を示し、例えば、カラープリンタの色をカラーモニタに合わせる場合、カラーモニタが入力系装置、カラープリンタが出力系装置となる。
【０００４】
しかしながら、ＣＭＳを利用したとしても、全ての装置で完全に同じ色を実現することは物理的に不可能である。例えば、一般にＣＲＴモニタの色再現範囲とプリンタの色再現範囲は異なり、緑や青の色域ではＣＲＴモニタの色再現範囲に比べてプリンタの色再現範囲は小さく、逆に、一部のプリンタではそれに用いる記録媒体（印刷用紙）によって、シアンの色域で色再現範囲がＣＲＴモニタよりも大きい。このように入力系装置の色再現範囲内であるが出力系装置の色再現域外である色は、そのままでは出力系装置で再現できない。
【０００５】
これに対して、色域圧縮を行うことが知られている。この色域圧縮では、入力系装置で表現されている画像の印象をなるべく保ちつつ出力系装置の色再現域内に変換することが望ましい。このような色域圧縮の方法としては、特許文献１に記載されるように、等色相面において無彩色軸上の所定の点に向かって明度と彩度を圧縮する方法が一般的である。
【０００６】
図２３は、従来の色域圧縮の方法を説明する模式図であり、横軸が彩度、縦軸が明度の等色相面を示している。同図において、５００１は入力系装置における色再現範囲最外郭、５００２は出力系装置における色再現範囲最外郭、点Ｏは圧縮方向を示す所定の点、点Ａは入力系装置の色再現範囲最外郭上の一点、点Ｂは出力系装置の色再現範囲最外郭上でかつ直線ＯＡ上の一点をそれぞれ示す。ここで、線分Ｂ−Ａ上の色は入力系装置の色再現範囲内であるが出力系装置の色再現範囲外であり、出力系装置で再現することができない色である。従来の方法における色域圧縮では、色相一定で明度および彩度を圧縮し、例えば、入力系装置における線分Ｏ−Ａ上の色を出力系装置における線分Ｏ−Ｂ上の色へ変換する。
【０００７】
入力系装置の線分Ｏ−Ａ上の色を出力系装置の線分Ｏ−Ｂ上の色へ変換する方法としては、図２４、図２５、図２６を参照して説明される３つの方法がしられている。これらの図において、横軸上の各点は入力系装置の直線Ｏ−Ａ上の色、縦軸上の各点は出力系装置の直線Ｏ−Ｂ上の色を示す。
【０００８】
図２４に示す変換は一般にクリッピングと呼ばれる変換方法であり、入力系装置の色再現範囲内の色に関して、出力系装置の色再現範囲内の色はそのまま出力し、出力系装置の色再現範囲外の色は出力系装置の色再現範囲の最外郭へ変換する方法である。この方法では、出力系装置の色再現範囲内の色は正確に再現可能であるが、出力系装置の色再現範囲外の色は大きく圧縮され、高彩度色における階調が失われるなどの問題がある。図２５に示す変換方法は、入力系装置の色再現範囲全体を線形に圧縮して、出力系装置の色再現範囲内の色へ変換する方法である。この方法では、画像のグラデーションを保存することができるが、出力系装置の色再現範囲内の色に関しても正確な色再現はできず、彩度の低いくすんだ画像となってしまう。図２６に示す変換方法は、入力系装置の色再現範囲内の色を、低彩度部の色はそのまま出力し、高彩度部の色はある程度階調を保ちつつ圧縮して、出力系装置の色再現範囲内の色へ変換する方法。この方法では、階調保存も彩度保存もある程度可能であり、上記３つの方法の中では最も好ましい圧縮方法とされている。
【０００９】
【特許文献１】特開平０９−０９８２９８号公報
【発明の開示】
【発明が解決しようとする課題】
【００１０】
しかしながら、上記の方法の中で最も好ましいとされる図２６に示す圧縮方法を用いたとしても、出力系装置の再現する画像は、入力系装置の再現する画像と比較して彩度が低く、くすんだ印象となることがある。これは、中間彩度の色において、彩度の圧縮が大きいことが原因の一つと考えられる。例えば、図２３において入力系装置の点Ａで示される色に対応する出力系装置の色は、上記従来の圧縮方法に基づく場合には点Ｂが示す色であるが、この点Ａの色に最も近い出力系装置の色（色差最小の色）は点Ｃが示す色である。点Ｂはこの点Ｃよりも彩度がかなり小さく、従来の圧縮方法では彩度が必要以上に圧縮されていることが分かる。
【００１１】
すなわち、従来の圧縮方法では、図２３に示すように、入力系装置の色再現範囲の最外郭上の点Ａに対応する出力系装置の色再現範囲の最外郭上の点Ｂを、上記点Ａと圧縮定点Ｏとを結ぶ直線ＯＡ上に定めることから、圧縮される点Ａ（および定点Ｏ）に応じて彩度や明度の圧縮量が定まってしまう。このため、出力系装置の色再現において、上記のように彩度が低く、くすんだ印象となったり明度が必要以上に低くなったりするなどの問題を招いていた。
【００１２】
本発明は上記の問題を解消するためになされたものであり、その目的とするところは、入力系装置の色再現範囲が出力系装置の色再現範囲よりも広い場合、入力系装置の色から出力系装置の色再現範囲内の色への変換において、彩度の低下を抑制するなど、入力系装置で再現される画像を出力系装置で再現する際にある程度その再現性を制御することを可能とする色域変換方法および画像処理装置を提供することにある。
【課題を解決するための手段】
【００１３】
そのために本発明では、色空間において第１の領域の色をその領域より小さい第２の領域の色に対応付ける関係に基づいて色域変換を行う色域変換方法であって、前記第１領域の最外郭上の色に対応する前記第２領域上の最外郭上の色を、該最外郭上の色を当該色空間における所定の定点と前記第１領域の最外郭上の色を示す当該色空間における点とを結ぶ直線上には対応付けない所定の対応関係に基づいて定め、該定められた前記第２領域上の最外郭上の色とこれに対応する前記第１領域の最外郭上の色に基づいて定められた、前記第１の領域の色を前記第２の領域の色に対応付ける前記関係を用意し、該関係に従って色域変換を行う、ステップを有したことを特徴とする。
【００１４】
また、色空間において第１の領域の色をその領域より小さい第２の領域の色に対応付ける関係に基づいて色域変換を行い色信号の変換を行う画像処理装置であって、前記第１領域の最外郭上の色に対応する前記第２領域上の最外郭上の色を、該最外郭上の色を当該色空間における所定の定点と前記第１領域の最外郭上の色を示す当該色空間における点とを結ぶ直線上には対応付けない所定の対応関係に基づいて定め、該定められた前記第２領域上の最外郭上の色とこれに対応する前記第１領域の最外郭上の色に基づいて定められた、前記第１の領域の色を前記第２の領域の色に対応付ける前記関係をテーブルとして備え、該テーブルを用いて色域変換を行うことを特徴とする。
【発明の効果】
【００１５】
以上の構成によれば、第１の領域の色をその領域より小さい第２の領域の色に対応付ける関係を求め際、第１領域の最外郭上の色に対応する第２領域上の最外郭上の色を、その最外郭上の色を当該色空間における所定の定点と前記第１領域の最外郭上の色を示す当該色空間における点とを結ぶ直線上には対応付けない所定の対応関係に基づいて定めるので、第１領域の最外郭上の色に対応する第２領域上の最外郭上の色を、第１領域の最外郭上の色を示す点と上記所定の定点との関係（上記直線の関係）にかかわらず定めることができる。
【００１６】
これにより、例えば、上記所定の対応関係を第１領域の最外郭上の色と対応する第２領域上の最外郭上の色との色差が最小となる関係としたり、第１領域の最外郭上の色を示す点が当該最外郭に沿って所定方向に移動して異なる前記第１領域の最外郭上の色を示す点に移るとき、第２領域の最外郭上の色を示す点が当該最外郭に沿って同じ所定方向に移動して異なる前記第２領域の最外郭上の色を示す点に移る関係としたりすることができ、彩度の低下を抑制するなど、入力系装置で再現される画像を出力系装置で再現する際の再現特性を制御することが可能となる。
【発明を実施するための最良の形態】
【００１７】
以下、図面を参照して本発明の実施形態を詳細に説明する。  
＜第１の実施形態＞
色変換用色空間
人間の色に関する知覚には、色の明るさを表す明度、色の鮮やかさを表す彩度、色の系統を表す色相の３属性がある。この３属性に基づいた色空間としは、例えば、ＣＩＥ／Ｌ＊Ｃ＊ｈ色空間が挙げられる。このＬ＊Ｃ＊ｈ色空間は、ＣＩＥ／Ｌ＊ａ＊ｂ＊色空間やＣＩＥ／Ｌ＊ｕ＊ｖ＊色空間を極座標に変換したものであり、Ｌ＊は明度、Ｃ＊は彩度、ｈは色相角を表わしている。以下の説明では、人間の知覚に対応した色空間として上記ＣＩＥ／Ｌ＊Ｃ＊ｈ色空間を用いて説明するが、本発明の色域変換方法は、上記３属性に基づく他の色空間を用いる場合でもなんら問題はないことは以下の説明からも明らかである。
【００１８】
色域変換方法
図１は、本発明の第１の実施形態に係わる色域変換方法を説明する模式図であり、横軸が彩度Ｃ＊、縦軸が明度Ｌ＊の等色相（ｈ一定）面を示している。  
同図において、１０１は入力系装置の色再現範囲の最外郭、１０２は出力系装置の色再現範囲の最外郭、点０は縦軸上の所定の圧縮定点をそれぞれ示す。なお、本実施形態では、出力系装置の色再現範囲が入力系装置の色再現範囲よりも大きい領域では、出力系装置の色再現範囲を入力系装置の色再現範囲に合致するよう変換するものとし、以下の説明においては、入力系装置の色再現範囲１０１は上記出力系装置の色再現範囲最外郭１０２を包含するものとする。
【００１９】
図１において、先ず、入力系装置の色再現範囲最外郭上の点Ａが示す色に対応する出力系装置の色再現範囲最外郭上の点Ｂを定める。すなわち、明度方向と彩度方向の圧縮の割合を考慮して、上記点Ａに対応する点Ｂの位置を設定する。例えば、図７に示すような点Ａに対する点Ｂの設定では、明度はあまり圧縮せず（ΔＬが小さい）、彩度を大きく圧縮することができる（ΔＣが大きい）。一方、図８に示す点Ａに対する点Ｂの設定では、明度を大きく圧縮して（ΔＬが大きい）彩度はあまり圧縮しないようにすることができる（ΔＣが小さい）。
【００２０】
図７および図８にて説明した点Ｂの設定例の他、点Ｂをその色が点Ａの色との色差が最小となるように説定することもできる。この場合、入力系装置の色再現範囲最外郭上の色が、同色相における出力系装置の色再現範囲内の色で色差最小の色へ変換されるため、一般には、彩度の低下が抑制され、入力系装置で再現される画像に印象が近い画像を出力系装置で再現することができる。
【００２１】
図２は、図１に示す線分ＯＢＡ上の点に対応する色を、線分ＯＢ上の点に対応する色へ変換する方法を説明する図である。  
図２において、Ｌ（ＯＢ）は線分ＯＢの距離を示し、Ｌ（ＯＢＡ）は線分ＯＢの距離と線分ＢＡの距離の和を示す。また、図２の横軸Ｖｉは、入力系装置の色に対応する線分ＯＢＡ上の点の、点Ｏからの道のりを示す。また、同様に縦軸Ｖｏは、出力系装置の色に対応する線分ＯＢ上の点の、点Ｏからの道のりを示す。本実施形態の色域変換方法では、線分ＯＢ上に後述するように所定の点Ｃを定めるとともに、以下の式によって、入力系装置の色に対応する点Ｖｉを、出力系装置の色に対応する点Ｖｏへ変換する。
０≦Ｖｉ≦Ｌ（ＯＣ）のとき、
Ｖｏ＝Ｖｉ  ・・・・・（１）
Ｌ（ＯＣ）≦Ｖｉ≦Ｌ（ＯＢＡ）のとき、
Ｖｏ＝Ｌ（ＣＢ）／Ｌ（ＣＢＡ）×（Ｖｉ−Ｌ（ＯＣ））＋Ｌ（ＯＣ）・・・（２）
すなわち、図１において入力系装置の線分ＯＣ上の点に対応する色はそのまま出力され、線分ＣＢおよび線分ＢＡ上の点に対応する色は、出力系装置の線分ＣＢ上の点に対応する色へ変換される。なお、（２）式で、Ｌ（ＣＢ）は線分ＣＢの距離、Ｌ（ＣＢＡ）は線分ＣＢの距離と線分ＢＡの距離との和、Ｌ（ＯＣ）は線分ＯＣの距離を示す。
【００２２】
また、本実施形態の色域変換方法は、出力系装置の動作域の大きさ（図１における線分ＯＢの距離）によらず、上記点Ｃの位置を簡易に決定する方法として、１）線分ＯＣの距離を一定とする方法、２）線分ＣＢの距離を一定とする方法、３）線分ＯＢの距離と線分ＯＣの距離の比を一定とする方法、以上の１）乃至３）のいずれかを利用することができる。特に、上記３）の方法は、出力系装置の動作域が大きい（図１における線分ＯＢの距離が長い）場合においても、小さい（線分ＯＢの距離が短い）場合においても、入力系装置の色をそのまま出力する領域（図１における線分ＯＣ）を適度に確保することができる。
【００２３】
色域変換手順
図３は、本実施の形態の色域変換手順を示すフローチャートである。  
本実施形態の色変換は以下の手順で行われる。まず、ステップＳ３０１において、入力系装置および出力系装置の色再現範囲データを取得する。次に、ステップＳ３０２において、色再現範囲最外郭変換テーブルを作成する。この変換テーブルは、その詳細が後述されるように、入力系装置の色再現範囲最外郭上の離散的な色と、これらの色に対応する出力系装置の色再現範囲最外郭上の色との対応関係を格納したテーブルである。
【００２４】
次に、ステップＳ３０３において、入力系装置の色信号Ｐ（Ｌｐ，Ｃｐ，ｈｐ）を入力する。そして、ステップＳ３０４において、上記ステップＳ３０３で入力した色信号Ｐが出力系装置の色再現範囲内か色再現範囲外かを判定する。ここで、色信号Ｐが出力系装置の色再現範囲内であると判断したときはステップＳ３０５に進み、色再現範囲外であると判断したときはステップＳ３０８へ進む。
【００２５】
上記色信号Ｐが出力系装置の色再現範囲内である場合、ステップＳ３０５において、その色信号Ｐに関する出力系装置の色再現範囲最外郭上の色Ｂを求める。
【００２６】
図４は、色信号Ｐに基づいて上記色Ｂを求める方法を説明する図であり、横軸が彩度Ｃ＊、縦軸が明度Ｌ＊の等色相（ｈ＝ｈｐ）面を示している。同図において、４０１は入力系装置の色再現範囲最外郭、４０２は出力系装置の色再現範囲最外郭、点Ｏは所定の圧縮定点、点Ｐは上記ステップＳ３０３で入力した色信号Ｐをそれぞれ示す。同図において、色Ｂは、点Ｏと点Ｐとを結ぶ直線と、出力系装置の色再現範囲最外郭４０２との交点の色Ｂとして求められる。
【００２７】
次に、ステップＳ３０６において、上記求めた色Ｂと上記ステップＳ３０２で作成した色再現範囲最外郭変換テーブルとを用いて、色Ｂに対応する入力系装置の色再現範囲最外郭上の色Ａを求める。この色Ａは、図４において点Ａで示される。
【００２８】
次に、ステップＳ３０７において、図２を用いて説明した（１）、（２）式により、線分ＯＢＡ上の点Ｐを、線分ＯＢ上の点Ｐ’に変換し、色信号Ｐに対応する出力系装置の色信号Ｐ’を求める。
【００２９】
一方、ステップＳ３０４において、色信号Ｐが出力系装置の色再現範囲外であると判断した場合は、ステップＳ３０８において、その色信号Ｐと上記ステップＳ３０２で作成した色再現範囲最外郭変換テーブルとを用いて、図５に示す点Ａと点Ｂとを求め、ステップＳ３０７へ進む。すなわち、上記色再現範囲最外郭テーブルの点Ａと点Ｂとのそれぞれの対応において、それらの点Ａ、Ｂを結ぶ線分の式をＬ＊Ｃ＊上で求めておき、上記点Ｐが乗る式の点Ａと点Ｂとの組を、上記図５に示す点Ａと点Ｂとして求める。
【００３０】
以下、上述した工程のいくつかの処理内容に関してさらに詳細に説明する。  
色再現範囲データ
図６は、上記ステップＳ３０１で取得される色再現範囲データに関し、このデータで利用される座標系を説明する図である。同図は、横軸が彩度Ｃ＊、縦軸が明度Ｌ＊の等色相面を示している。また、図中の点Ｏは所定の圧縮定点（Ｌ＊，Ｃ＊）＝（Ｌ（Ｏ）、０）、直線Ｇは点Ｏを通り彩度軸（横軸）に平行な直線である。ここで、任意の点Ｐは、明度Ｌ、彩度Ｃ、色相角ｈを用いて表わせられると同時に、上記直線Ｇと直線ＯＰとのなす角度θと、線分ＯＰの距離Ｓとを用いて表わすこともできる。ＬＣｈ座標系からｈθＳ座標系への変換は、以下の式によって行われる。  
θ＝ｔａｎ−１（（Ｌ−Ｌ（Ｏ））／Ｃ）  ・・・・・（３）
Ｓ＝（Ｃ２＋（Ｌ−Ｌ（Ｏ））２）１／２・・・・・・（４）
また、逆にｈθＳ座標系からＬ＊Ｃ＊ｈ座標系への変換は、以下の式によって行われる。
Ｌ＝Ｓｓｉｎ（θ）＋Ｌ（Ｏ）  ・・・・・（５）
Ｃ＝Ｓｃｏｓ（θ）  ・・・・・（６）
なお、色相角ｈは両座標系で共通である。
【００３１】
図９は、上記ステップＳ３０１で取得される色再現範囲データの一例を示す図である。同図に示すように、色再現範囲データは、離散的なｈ（色相角）およびθに関して、それらｈおよびθにおける出力系装置の色再現範囲最外郭の色のＳの値Ｓｏと、入力系装置の色再現範囲最外郭の色のＳの値Ｓｉとを格納したテーブル形態のものである。
【００３２】
図１１は、上記θとＳｉ、Ｓｏの関係を説明する等色相面を示す図であり、１１０１は入力系装置の色再現範囲最外郭、１１０２は出力系装置の色再現範囲最外郭、点Ｏは所定の圧縮定点、点Ｍｉはθにおける入力系装置の色再現範囲最外郭の色を示す点、点Ｍｏはθにおける出力系装置の色再現範囲最外郭の色をそれぞれ示す点である。ここで、上述の値Ｓｉは線分ＯＭｉの距離、また、値Ｓｏは線分ＯＭｏの距離をそれぞれ示すことになる。また、上記色再現範囲データのテーブルにない、色相角ｈおよびθに対する入力系装置および出力系装置それぞれの色再現範囲最外郭の色は、色再現範囲データに基づく公知の補間方法を用いて求められる。
【００３３】
色再現範囲最外郭変換テーブル
図１０は、図３のステップ３０２で作成される色再現範囲最外郭変換テーブルの一例を示す図である。同図に示すように、色再現範囲最外郭変換テーブルは、離散的なｈ（色相角）およびθｉ（ｈΘＳ座標系のΘの値）について、それらｈおよびθｉが示す入力系装置の色再現範囲最外郭上の色に対応する出力系装置の色のθの値θｏを格納したテーブルである。
【００３４】
図１２は、上記θｉとθｏの関係を説明する等色相（ｈ一定）面を示す図である。同図において、１２０１は入力系装置の色再現範囲最外郭、１２０２は出力系装置の色再現範囲最外郭、点Ｏは所定の圧縮定点、直線Ｇは点Ｏを通り彩度軸（横軸）に平行な直線、点Ａはθｉにおける入力系装置の色再現範囲最外郭の色を示す点、点Ｂは点Ａに対応する出力系装置の色を示す点であり、上記θｏは直線Ｇと直線ＯＢとのなす角度である。任意のθｉに対応するθｏは、上記色再現範囲最外郭変換テーブルから公知の補間方法を用いて求めることができる。また、同様に、任意のθｏに対応するθｉも、上記色再現範囲最外郭変換テーブルから公知の補間方法を用いて求めることができる。
【００３５】
図１３は、上述の色再現範囲最外郭変換テーブルの作成手順を示すフローチャートである。本実施形態における色再現範囲最外郭変換テーブルの作成は以下の手順で行われる。まず、ステップＳ１３０１において、上述した色再現範囲データを用いて、離散的なｈおよびθｉにおける入力系装置の色再現範囲最外郭上の点Ａの色を求める。
【００３６】
次に、ステップＳ１３０２において、上記点Ａに対応する点Ｂを、出力系装置の色再現範囲内の点で、図１にて前述したように、例えば、この点Ｂが示す色と点Ａが示す色との色差が最小となるように決定する。そして、ステップＳ１３０３では、上記点Ｂのθ座標の値θｏを求め、ステップＳ１３０４で、上記θｉとθｏとを図１０に示す色再現範囲最外郭変換テーブルに格納する。
【００３７】
次に、ステップＳ１３０５において、全てのθｉに関して格納が終了したか否か確認し、終了していない場合はステップＳ１３０１へ戻る。また、ステップＳ１３０６において、すべてのｈに関して格納が終了したか否かを確認し、終了していない場合はステップＳ１３０１へ戻る。
【００３８】
色再現範囲内外判定
図１４は、図３のステップＳ３０４において実施される色再現範囲内外判定の手順の詳細を示すフローチャートである。色再現範囲の内外判定は以下の手順で行われる。まず、ステップＳ１４０１において、図３のステップＳ３０３にて入力された色信号Ｐ（Ｌｐ，Ｃｐ，ｈｐ）の座標を前述の式（３）、（４）を用いて、ｈθＳ座標（ｈｐ，θｐ，Ｓｐ）に変換する。次に、ステップＳ１４０２で、ステップＳ１４０１で求めたｈθＳ座標（ｈｐ，θｐ，Ｓｐ）と上述の色再現範囲テーブルとを用いて、これらｈｐおよびθｐにおける出力系装置の色再現範囲最外郭上の点のＳの値Ｓｏを求める。
【００３９】
次に、ステップＳ１４０３で、上記ＳｐとＳｏとを比較し、ＳｐがＳｏ以下であれば上記色信号Ｐは出力系装置の色再現範囲内であり、ＳｐがＳｏを超えるようであれば上記色信号Ｐは出力系装置の色再現範囲外であると判断する。
【００４０】
以上説明したように、本実施形態の色域変換方法は、図１に示すように、無彩色軸上の圧縮定点を点Ｏ、入力系装置の色再現範囲最外郭上の点を点Ａ、この点Ａが示す色に対応する出力系装置の色を示す点を点Ｂとするとき、この点Ｂを、例えば、点Ｂと点Ａとの色差が最小となるように決定し、入力系装置の色を示す線分ＯＢＡ上の点を出力系装置の色を示す線分ＯＢ上の点へ変換する。この変換によって、明度方向と彩度方向の圧縮の割合を最適化する制御が可能となり、入力系装置で再現される画像を出力装置で好適に再現することが可能となる。
【００４１】
＜第２の実施形態＞
上記第１の実施形態における色再現範囲最外郭変換テーブルは、入力系装置の色再現範囲最外郭上の色と出力系装置の色再現範囲最外郭上の色との対応関係を、例えば、色差が最小となるように作成するものである。しかし、その変換関係によると、特に、高彩度の色において階調が損なわれる場合がある。
【００４２】
図１５は、入力系装置と出力系装置の色再現範囲最外郭における対応関係を説明する模式図である。同図において、１５０１は入力系装置の色再現範囲最外郭、１５０２は出力系装置の色再現範囲最外郭、点Ｒ０は出力系装置の色再現範囲最外郭上の点、点Ｒ１および点Ｒ２は入力系装置の色再現範囲最外郭上の点を示す。ここで、点Ｒ０は、入力系装置の色再現範囲最外郭上で点Ｒ１と点Ｒ２とを結ぶ線分Ｌｒ上の色をＣｒとするとき、出力系装置の色再現範囲内の色で上記色Ｃｒとの色差が最小となる色を示す点である。すなわち、図１５に示すＣＩＥ／Ｌ＊Ｃ＊ｈ色空間は均等色空間であることから、同図における距離がほぼ色差を表す。これから分かるように、出力系装置の色再現範囲最外郭１５０２上の点で、入力系装置の色再現範囲最外郭上で点Ｒ１と点Ｒ２とを結ぶ線分Ｌｒ上の点と最も距離が小さい点はＲ０となる。従って、線分Ｌｒ上の色は全て入力系装置の点Ｒ０が示す色へ変換されることとなり、その結果、階調が損なわれる場合がある。
【００４３】
本発明の第２の実施形態は、上記の問題を鑑み、上記第１の実施形態における色再現範囲最外郭変換テーブルの作成方法に関して、色差を最小とする対応関係を基本とするもののこれを修正した色域変換に関する。これにより、適度に階調を保つように色域変換を行うことを可能とするものである。なお、本実施形態の色域変換方法において、色再現範囲最外郭変換テーブルの作成以外の工程は、上記第１の実施形態と同じであるため、それらの説明を省略する。
【００４４】
色再現範囲最外郭変換テーブル
図１６は、本発明の第２の実施形態における色再現範囲最外郭変換テーブルの作成手順を示すフローチャートである。本実施形態の色再現範囲最外郭変換テーブルは、以下の手順で作成される。まず、ステップＳ１６０１において、離散的なｈ（色相角）において、入力系装置の最大彩度色の変換を決定する。
【００４５】
図１７は、最大彩度色の変換を説明する模式図であり、横軸が彩度Ｃ＊、縦軸が明度Ｌ＊の等色相断面を示している。同図において、１７０１は入力系装置の色再現範囲最外郭、１７０２は出力系装置の色再現範囲最外郭、点Ｏは所定の圧縮定点、直線Ｇは点Ｏを通り彩度軸（横軸）に平行な直線、点Ｑｉは同図の色相角における入力系装置の最大彩度色、点Ｑｏは点Ｑｉと相互の色差が最小の関係で対応する出力系装置の色を示す点、Φｉは上記点ＱｉのｈθＳ座標系におけるθの値、Φｏは上記点Ｑｏのθの値を示す。ステップＳ１６０１では、Φｉに対応するΦｏの値を決定する。
【００４６】
次に、ステップＳ１６０２において、Φｉ以上９０度以下の範囲で、離散的なθｉに関して、このθｉに対応する入力系装置の色再現範囲最外郭上の点である点Ａを求める。次に、ステップＳ１６０３で、上記点Ａに対応する点Ｂを、色相角ｈの出力系装置の色再現範囲内の点で、その点が示す色と点Ａが示す色との色差が最小となるように決定する。次に、ステップＳ１６０４で、上記点Ｂのθ座標の値θｏを求め、ステップＳ１６０５で、上記θｉとθｏとの関係を、図１０を用いて説明した色再現範囲最外郭変換テーブルに格納する。
【００４７】
次に、ステップＳ１６０６において、Φｉ以上９０度以下の全てのθｉに関して格納が終了したか否かを確認し、終了していない場合はθｉをインクリメントしてステップＳ１６０２へ戻り、終了した場合はステップＳ１６０７へ進む。  
ステップＳ１６０７では、上記色再現範囲最外郭変換テーブルに格納されたθｉに関するθｏの値を修正する。
【００４８】
図１８は、上記θｉとθｏとの対応関係、すなわち色差最小の対応関係で求めた上記色再現範囲最外郭変換テーブルを示す図であり、横軸は入力系装置の色再現範囲最外郭上の色に関するθｉ、縦軸は出力系装置の色再現範囲最外郭上の色に関するθｏを示す。
【００４９】
同図に示すように、ΦｋおよびΦｋ’は図１７における点Ｑｋおよび点Ｑｋ’のθ座標であり、色差最小の対応関係に基づく色域変換では、入力系装置のΦｋ’以上Φｋ以下の範囲に対応する色（図１７における入力系装置の色再現範囲最外郭上において点Ｑｋと点Ｑｋ’とを結ぶ線分上の点）が、全て出力系装置のΦｏに対応する色（図１７における出力系装置の色再現範囲最外郭上の点Ｑｏ）に変換されてしまい、階調が損なわれることが分かる。そこで、図１８に示すΘｉに関するΘｏが、単調増加関数となるように上記色再現範囲最外郭変換テーブルを修正する。すなわち、ステップＳ１６０７では、θｉに関するθｏの値を、上記Φｋ以上で９０度以下の所定の値Φａを用いて、以下の式で与えられる値へ修正する。  
Φｉ≦θｉ≦Φａのとき
Θｏ＝（Ｆ（Φａ）−Φｏ）／（Φａ−Φｉ）×（θｉ−Φｉ）＋Φｏ    ・・・（７）
Φａ≦θｉ≦９０のとき
Θｏ＝Ｆ（θｉ）  ・・・（８）
ただし、関数Ｆは色差最小に基づく修正前の色再現範囲最外郭変換テーブルのθｉからθｏへの変換、すなわち、上記図１８の変換関数を示すものである。
【００５０】
図１９は、以下に説明する−９０度以上でΦｉ以下の範囲の離散的なθｉに関する式（９）、（１０）による修正を含む、上記式（７）、（８）に基づく修正後の色再現範囲最外郭変換テーブルを示す模式図である。同図に示すように、本実施形態の方法によれば、Φａを適切に設定することによって、入力系装置の色再現範囲最外郭上の色を示すθｉを、階調を保ちつつ、出力系装置の色再現範囲最外郭上の色を示すθｏへ変換することが可能となる。なお、Φａの設定は、実験などによって階調性などを確認しつつ予め定めておくことができる。
【００５１】
ステップＳ１６０８以降では、−９０度以上でΦｉ以下の離散的なθｉに関し、ステップＳ１６０２〜Ｓ１６０６と同様の処理を行う。すなわち、まず、ステップＳ１６０８において、θｉに対応する入力系装置の色再現範囲最外郭上の点、点Ａを求める。次にステップＳ１６０９において、上記点Ａに対応する点Ｂを、出力系装置の色再現範囲内の点で、その点が示す色と点Ａが示す色との色差が最小となるように決定する。次に、ステップＳ１６１０において、上記点Ｂのθ座標の値θｏを求める。次にステップＳ１６１１において、−９０度以上Φｉ以下の全てのθｉに関して格納が終了したか否かを確認し、終了していない場合はθｉをインクリメントしてステップＳ１６０８へ戻り、終了した場合はステップＳ１６１２へ進む。ステップＡ１６１２では、θｉに関するθｏの値を、−９０度以上で上記Φｋ’以下の所定の値Φｂを用いて、以下の式で与えられる値へ修正する。
−９０≦θｉ≦Φｂのとき
Θｏ＝Ｆ（θｉ）  ・・・（９）
Φｂ≦θｉ≦Φｉのとき
Θｏ＝（Φｏ−Ｆ（Φｂ））／（Φｉ−Φｂ）Ｘ（θｉ−Φｂ）＋Ｆ（Φｂ）・(１０)
【００５２】
本実施形態の方法によれば、入力系装置の色再現範囲最外郭上の色を、階調を保ちつつ、出力系装置の色再現範囲最外郭上の色へ変換することが可能となる。
【００５３】
＜第３の実施形態＞
画像処理装置
上述の各実施形態は、入力系装置および出力系装置を限定しない、色域変換の方法について説明したが、本発明は、入力系装置の画像信号を接続された画像出力装置の画像信号へ変換する画像処理装置として実施することもできることはもちろんである。本実施形態では、カラープリンタを制御する画像処理装置に関して説明する。本実施の形態の画像処理装置によれば、色再現範囲の異なる装置および画像記録媒体においても、印象が近い画像を再現することが可能となる。
【００５４】
基本構成
図２０は、本発明の第３の実施形態に係る画像処理装置の基本構成を示すブロック図である。  
図２０において、２００１はＣＰＵを示し、後述するＲＡＭやＲＯＭに格納されたプログラムやデータを用いて本装置全体の制御を行うとともに、後述する各画像処理も実行する。２００２はＲＡＭを示し、後述する外部記憶装置や記録媒体ドライブからロードされたプログラムやデータ、処理中の各種データを一時記憶する記憶エリアを備える。２００３はＲＯＭを示し、本装置全体の制御を行うためのプログラムや制御データなどが格納されている。２００４は操作部を示し、キーボードやマウスなどのポインティングデバイスにより構成され、入力系装置の情報や印刷用紙の情報を本装置に対して入力することができる。２００５は表示部を示し、ＣＲＴや液晶画面によって構成され、画像や文字を表示する。２００６は外部記憶装置を示し、オペレーティングシステム（以下ＯＳ）や各種画像処理を行うための画像処理プログラム２００７および後述する接続されたカラープリンタの各種プロファイルや色再現範囲データ等のパラメータ２００８を保存する。２００９は記憶媒体ドライブを示し、記憶媒体から画像を含む各種データを読み取り、外部記憶装置２００６やＲＡＭ２００２に出力する。また、作成した変換テーブルの保存を行う。２０１０は上述の各部を接続するバスを示す。
【００５５】
機能構成
図２１は、図２０に示した画像処理装置の機能構成を示す図である。  
図２１に示すように、本実施形態の画像処理装置は、入力系装置プロファイル変換部２１０１、色変換部２１０２、プリンタプロファイル変換部２１０３、色分解部２１０４、入力系装置プロファイル格納部２１０５、色再現範囲データ格納部２１０６、色再現範囲最外郭部変換テーブル格納部２１０７、プリンタプロファイル格納部２１０８、および色分解テーブル格納部２１０９を有して構成され、これら機能構成によって、入力画像を構成する色信号Ｒ、Ｇ、Ｂを接続されたカラープリンタの色信号Ｃ、Ｍ、Ｙ、Ｋへ変換する。以下、上記各構成要素について詳細に説明する。
【００５６】
上記構成において、入力系装置プロファイル変換部２１０１は、入力系装置プロファイル格納部２１０５に格納される入力系装置プロファイルを用いて、入力画像を構成する色信号Ｒ、Ｇ、Ｂを色知覚の３属性に基づく色空間上の色信号Ｌ、Ｃ、ｈへ変換する。上記入力系装置プロファイルは、例えば、離散的な色信号Ｒ、Ｇ、Ｂに関する色信号Ｌ、Ｃ、ｈを保持したルックアップテーブル（以下ＬＵＴ）によって構成され、色信号Ｒ、Ｇ、Ｂから色信号Ｌ、Ｃ、ｈへの変換は公知の補間方法を併用して行われる。
【００５７】
色変換部２１０２は、上記各実施形態で説明した、色再現範囲データ格納部２１０６に格納される色再現範囲データと、色再現範囲最外郭変換テーブル格納部２１０７に格納される色再現範囲最外郭変換テーブルとを用いて、入力色信号Ｌ、Ｃ、ｈを接続されたカラープリンタで再現可能な色信号Ｌ’、Ｃ’、ｈへ変換する。すなわち、上記色再現範囲データおよび色再現範囲最外郭変換テーブルは、第１の実施形態にて説明した同名の構成要素と同じ機能を有し、色信号ＬＣｈから色信号Ｌ’Ｃ’ｈへの変換は、上記第１の実施形態または第２の実施形態の色変換方法によって行われる。
【００５８】
プリンタプロファイル変換部２１０３は、プリンタプロファイル格納部２１０８に格納されるプリンタプロファイルを用いて、入力色信号Ｌ’、Ｃ’、ｈを接続されたカラープリンタに依存した色信号Ｒ’、Ｇ’、Ｂ’に変換する。上記プリンタプロファイルは、例えば、離散的なＲ’、Ｇ’、Ｂ’色信号に関するＬ’、Ｃ’、ｈ色信号を保持したＬＵＴによって構成され、色信号Ｌ’、Ｃ’、ｈから色信号Ｒ’、Ｇ’、Ｂ’への変換は公知の検索、補間方法を用いて行われる。色分解部２１０４は、色分解テーブル保持部２１０９に格納される色分解テーブルを用いて、入力色信号Ｒ’、Ｇ’、Ｂ’を接続されたカラープリンタの色信号Ｃ、Ｍ、Ｙ、Ｋへ変換する。上記色分解テーブルは、例えば、離散的なＲ’、Ｇ’、Ｂ’色信号に関するＣＭＹＫ色信号を保持したＬＵＴであり、色信号Ｒ’Ｇ’Ｂ’から色信号ＣＭＹＫへの変換は公知の補間方法を併用して行われる。
【００５９】
画像処理手順
図２２は、本画像処理装置の処理手順を示すフローチャートである。本実施形態の画像処理装置は、以下の手順で入力画像信号を接続されたカラープリンタの画像信号に変換する。まず、ステップＳ２２０１において、入力系装置プロファイルおよび入力系装置の色再現範囲データを取得する。次に、ステップＳ２２０２において、あらかじめ保持している接続されたカラープリンタの色再現範囲データと、上記入力系装置の色再現範囲データとを用いて、色再現範囲最外郭変換テーブルを作成する。
【００６０】
次に、ステップＳ２２０３において、入力画像を構成する色信号ＲＧＢを色知覚空間上の色信号Ｌ、Ｃ、ｈへ変換する。次にステップＳ２２０４において、この色信号Ｌ、Ｃ、ｈを接続されたカラープリンタで再現可能な色信号Ｌ’、Ｃ’、ｈへ変換する。次に、ステップＳ２２０５において、この色信号Ｌ’、Ｃ’、ｈを接続されたカラープリンタに依存した色信号Ｒ’、Ｇ’、Ｂ’に変換する。次にステップＳ２２０６において、この色信号Ｒ’、Ｇ’、Ｂ’を接続されたカラープリンタの色信号Ｃ、Ｍ、Ｙ、Ｋへ変換する。次にステップＳ２２０７において、入力画像を構成する全ての色信号について変換が終了したか否かを確認し、終了していなければステップＳ２２０３へ戻る。
【００６１】
他の構成
本実施形態の画像処理装置は、その機能構成要素である入力系装置プロファイル変換部において、入力色信号Ｒ、Ｇ、Ｂを色知覚空間上の色信号Ｌ、Ｃ、ｈへ変換するような構成となっているが、上記Ｌ、Ｃ、ｈの代わりに色知覚空間への変換が可能な他の色空間、例えば、ＣＩＥ／Ｌ＊ａ＊ｂ＊色空間等を使用することもできる。この場合、図２１における入力系装置プロファイル変換部２１０１と色変換部２１０２との間に、上記他の色空間上の色信号を色知覚空間上の色信号Ｌ、Ｃ、ｈへ変換する構成要素が追加される。
【００６２】
また、本実施形態の画像処理装置は、入力画像を構成する色信号Ｒ、Ｇ、Ｂから色信号Ｌ、Ｃ、ｈへの変換、この色信号Ｌ、Ｃ、ｈから色信号Ｌ’、Ｃ’、ｈへの変換、この色信号Ｌ’、Ｃ’、ｈから色信号Ｒ’、Ｇ’、Ｂ’への変換、この色信号Ｒ’、Ｇ’、Ｂ’から色信号Ｃ、Ｍ、Ｙ、Ｋへの変換の以上４つの変換を行っているが、これらの変換を合成してもよい。例えば、色信号Ｒ、Ｇ、Ｂを一度に色信号Ｃ、Ｍ、Ｙ、Ｋへ変換するように構成することもできる。この場合、離散的な色信号Ｒ、Ｇ、Ｂに関する色信号Ｃ、Ｍ、Ｙ、Ｋを求めてＬＵＴを作成し、そのＬＵＴを用いた公知の補間方法を併用することにより、色信号Ｒ、Ｇ、Ｂを色信号Ｃ、Ｍ、Ｙ、Ｋへ変換することができる。
【００６３】
本実施形態の画像処理装置によれば、入力系装置で再現される画像を出力装置で好適に再現することが可能となるため、例えば、入力画像データをモニタ上に表示した画像に印象が近い画像で印刷することや、別のプリンタで印刷した画像に印象が近い画像で印刷することや、別の画像記録媒体（印刷用紙）で印刷した画像に印象が近い画像で印刷することが可能となる。
【００６４】
＜その他の実施形態＞
本発明の目的は、前述した、図３、図１３、図１４、図１６、図２２に示したような実施形態の機能を実現するソフトウェアのプログラムコードを記録した記憶媒体を、システムあるいは装置に供給し、そのシステムあるいは装置のコンピュータ（またはＣＰＵまたはＭＰＵ）が記憶媒体に格納されたプログラムコードを読み出し実行することによっても達成されることは言うまでもない。
【００６５】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることが出来る。また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれることは言うまでもない。
【００６６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００６７】
【図１】本発明の第１の実施形態に係わる色域変換方法を説明する模式図である。
【図２】図１に示す線分ＯＢＡ上の点に対応する色を、線分ＯＢ上の点に対応する色へ変換する方法を説明する図である。
【図３】第１実施形態の色域変換手順を示すフローチャートである。
【図４】色信号Ｐに基づいて出力系装置の色再現範囲最外郭上の色Ｂを求める方法を説明する図である。
【図５】色信号Ｐに基づいて出力系装置の色再現範囲外上の色Ｂを求める方法を説明する図である。
【図６】図３のステップＳ３０１で取得される色再現範囲データに関し、このデータで利用される座標系を説明する図である。
【図７】第１実施形態に係り、明度方向と彩度方向の圧縮の割合を考慮して、上記点Ｂの位置を設定する方法を説明する図である。
【図８】第１実施形態に係り、同様に、明度方向と彩度方向の圧縮の割合を考慮して、上記点Ｂの位置を設定する方法を説明する図である。
【図９】図３のステップＳ３０１で取得される色再現範囲データの一例を示す図である。
【図１０】図３のステップ３０２で作成される色再現範囲最外郭変換テーブルの一例を示す図である。
【図１１】図９に示すθとＳｉ、Ｓｏの関係を説明する等色相面を示す図である。
【図１２】図１０に示す色再現範囲最外郭変換テーブルのθｉとθｏの関係を説明する等色相（ｈ一定）面を示す図である。
【図１３】図１０に示す色再現範囲最外郭変換テーブルの作成手順を示すフローチャートである。
【図１４】図３のステップＳ３０４において実施される色再現範囲内外判定の手順の詳細を示すフローチャートである。
【図１５】入力系装置と出力系装置の色再現範囲最外郭における対応関係を説明する模式図である。
【図１６】本発明の第２の実施形態における色再現範囲最外郭変換テーブルの作成手順を示すフローチャートである。
【図１７】図１６に示す処理における、最大彩度色の変換先を説明する図である。
【図１８】色差最小の対応関係で求めた上記色再現範囲最外郭変換テーブルを示す図である。
【図１９】図１６に示す処理における、修正後の色再現範囲最外郭変換テーブルを示す模式図である。
【図２０】本発明の第３の実施形態に係る画像処理装置の基本構成を示すブロック図である。
【図２１】図２０に示した画像処理装置の機能構成を示す図である。
【図２２】第３実施の形態における画像処理装置の処理手順を示すフローチャートである。
【図２３】従来の色域変換方法を説明する図である。
【図２４】従来の色域変換方法におけるクリッピング入出力変換関数を示す図である。
【図２５】従来の色変換方法における線形入出力変換関数を示す図である。
【図２６】従来の色変換方法における非線形入出力関数を示す図である。
【符号の説明】
【００６８】
２００１      ＣＰＵ
２００２      ＲＡＭ
２００３      ＲＯＭ
２００４      操作部
２００５      表示部
２００６      外部記憶装置
２００７      画像処理プログラム
２００８      パラメータ
２００９      記憶媒体ドライブ
２１０１      入力系プロファイル変換部
２１０２      色変換部
２１０３      プリンタプロファイル変換部
２１０４      色分解部
２１０５      入力系プロファイル格納部
２１０６      再現範囲データ格納部
２１０７      色再現範囲最外郭部変換テーブル格納部
２１０８      プリンタプロファイル格納部
２１０９      色分解テーブル格納部
【図１】
2005184394.tif 000003
【図２】
2005184394.tif 000004
【図３】
2005184394.tif 000005
【図４】
2005184394.tif 000006
【図５】
2005184394.tif 000007
【図６】
2005184394.tif 000008
【図７】
2005184394.tif 000009
【図８】
2005184394.tif 000010
【図９】
2005184394.tif 000011
【図１０】
2005184394.tif 000012
【図１１】
2005184394.tif 000013
【図１２】
2005184394.tif 000014
【図１３】
2005184394.tif 000015
【図１４】
2005184394.tif 000016
【図１５】
2005184394.tif 000017
【図１６】
2005184394.tif 000018
【図１７】
2005184394.tif 000019
【図１８】
2005184394.tif 000020
【図１９】
2005184394.tif 000021
【図２０】
2005184394.tif 000022
【図２１】
2005184394.tif 000023
【図２２】
2005184394.tif 000024
【図２３】
2005184394.tif 000025
【図２４】
2005184394.tif 000026
【図２５】
2005184394.tif 000027
【図２６】
2005184394.tif 000028